(57)【特許請求の範囲】
【請求項１】
デジタルテレビ放送を受信し、受信した該デジタルテレビ放送の表示を制御する表示制御装置であって、
上記デジタルテレビ放送の放送データを受信する受信部と、
上記受信部が受信した放送データに含まれる番組が、字幕が有る番組である字幕番組か否かを判定する字幕判定手段と、
上記字幕判定手段が、上記番組を字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御手段と、
番組の上記表示部における表示を字幕アウトスクリーン表示とする字幕アウトスクリーン指示を受け付ける受付部と、
上記受付部が受け付けた字幕アウトスクリーン指示の回数と上記番組に関する情報である番組情報とを対応付けて記憶する記憶部と、を備え、
上記字幕判定手段は、上記受信部が受信した放送データに含まれる番組の番組情報と対応付けられた上記字幕アウトスクリーン指示の回数が所定の回数を超えると、上記番組を字幕番組と判定することを特徴とする表示制御装置。
【請求項２】
デジタルテレビ放送を受信し、受信した該デジタルテレビ放送の表示を制御する表示制御装置であって、
上記デジタルテレビ放送の放送データを受信する受信部と、
上記受信部が受信した放送データに含まれる番組が、字幕が有る番組である字幕番組か否かを判定する字幕判定手段と、
上記字幕判定手段が、上記番組を字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御手段と、を備え、
字幕アウトスクリーン表示で表示する番組の番組情報が、上記表示部の表示を字幕アウトスクリーン表示とする字幕アウトスクリーン設定情報と、予め対応付けられて記憶されており、
上記字幕判定手段は、上記受信部が受信した放送データに含まれる番組の番組情報と、上記字幕アウトスクリーン設定情報とが対応付けられているとき、上記番組を字幕番組と判定することを特徴とする表示制御装置。
【請求項３】
デジタルテレビ放送を受信し、受信した該デジタルテレビ放送の表示を制御する表示制御装置であって、
上記デジタルテレビ放送の放送データを受信する受信部と、
上記受信部が受信した放送データに含まれる番組が、字幕が有る番組である字幕番組か否かを判定する字幕判定手段と、
上記字幕判定手段が、上記番組を字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御手段と、を備え、
上記表示部で番組の表示を開始した後、上記字幕判定手段が所定時間内に字幕番組であると判定しない場合、上記表示制御手段は上記番組を番組終了までフルスクリーン表示で表示し続けることを特徴とする表示制御装置。
【請求項４】
上記字幕判定手段が字幕番組であると最後に判定した時点から所定の時間が経過したとき、上記表示制御手段は、上記字幕アウトスクリーン表示から上記フルスクリーン表示に切り替えることを特徴とする請求項１〜３のいずれか１項に記載の表示制御装置。
【請求項５】
請求項１〜４のいずれか１項に記載の表示制御装置を動作させる表示制御装置の制御プログラムであって、コンピュータを上記の各手段として機能させるための表示制御装置の制御プログラム。
【請求項６】
請求項５に記載の表示制御装置の制御プログラムを記録したコンピュータ読み取り可能な記録媒体。
【請求項７】
デジタルテレビ放送の放送データを受信部で受信し、受信した該デジタルテレビ放送の表示を制御する表示制御装置の制御方法であって、
上記受信部が受信した放送データに含まれる番組が、字幕が有る番組である字幕番組か否かを判定する字幕判定ステップと、
上記字幕判定ステップで、上記番組が字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御ステップと、を含み、
上記表示制御装置には、番組の上記表示部における表示を字幕アウトスクリーン表示とする字幕アウトスクリーン指示を受け付ける受付部と、上記受付部が受け付けた字幕アウトスクリーン指示の回数と上記番組に関する情報である番組情報とを対応付けて記憶する記憶部と、が備えられており、
上記字幕判定ステップでは、上記受信部が受信した放送データに含まれる番組の番組情報と対応付けられた上記字幕アウトスクリーン指示の回数が所定の回数を超えると、上記番組を字幕番組と判定することを特徴とする表示制御装置の制御方法。
【請求項８】
デジタルテレビ放送の放送データを受信部で受信し、受信した該デジタルテレビ放送の表示を制御する表示制御装置の制御方法であって、
上記受信部が受信した放送データに含まれる番組が、字幕が有る番組である字幕番組か否かを判定する字幕判定ステップと、
上記字幕判定ステップで、上記番組が字幕番組であると判定したとき、該番組の映像を表示部の表示画面全体に表示させるフルスクリーン表示から、該映像を縮小し、縮小した
映像と字幕とを重ならないように表示させる字幕アウトスクリーン表示に切り替えて、上記表示部に表示させる表示制御ステップと、を含み、
上記表示制御装置には、字幕アウトスクリーン表示で表示する番組の番組情報が、上記表示部の表示を字幕アウトスクリーン表示とする字幕アウトスクリーン設定情報と、予め対応付けられて記憶されており、
上記字幕判定ステップでは、上記受信部が受信した放送データに含まれる番組の番組情報と、上記字幕アウトスクリーン設定情報とが対応付けられているとき、上記番組を字幕番組と判定することを特徴とする表示制御装置の制御方法。
【請求項９】
デジタルテレビ放送の放送データを受信部で受信し、受信した該デジタルテレビ放送の表示を制御する表示制御装置の制御方法であって、
字幕判定手段が、上記受信部が受信した放送データに含まれる番組が、字幕が有る番組である字幕番組か否かを判定する字幕判定ステップと、
上記字幕判定ステップで、上記番組が字幕番組であると判定したとき、表示制御手段が、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御ステップと、を含み、
上記表示部で番組の表示を開始した後、上記字幕判定手段が所定時間内に字幕番組であると判定しない場合、上記表示制御手段は上記番組を番組終了までフルスクリーン表示で表示し続けることを特徴とする表示制御装置の制御方法。
【発明の詳細な説明】
【技術分野】
【０００１】
本発明は、受信したデジタルテレビ放送の表示を制御する表示制御装置、表示制御装置の制御方法、制御プログラムおよび記録媒体に関するものである。
【背景技術】
【０００２】
近年、テレビ放送は、デジタル放送に移行してきている。そして、現在のデジタル放送用ＴＶ受信機では、映像に、該映像と同期して訳字等を表示する字幕が付されている場合、字幕を指定された位置に映像と重ねて表示している。よって、字幕が付されている映像の場合、映像と字幕とが重なるため、映像の一部が見えにくくなるとともに、字幕も読みにくいといった弊害がある。
【０００３】
そこで、地上デジタルテレビジョン放送運用規定（ＡＲＩＢ  ＴＲ−Ｂ１４）において、字幕と映像とが重ならないように表示するために、映像を所定のサイズに縮小し、映像とは重ならない画面の所定の位置に字幕を表示する機能である字幕アウトスクリーン表示機能について記載されている。
【先行技術文献】
【非特許文献】
【０００４】
【非特許文献１】ＡＲＩＢ  ＴＲ−Ｂ１４  地上デジタルテレビジョン放送運用規定  技術資料（２００２年１月２４日策定）
【発明の概要】
【発明が解決しようとする課題】
【０００５】
しかしながら、上記従来の構成では以下の問題を生じる。すなわち、字幕アウトスクリーン表示では、常に映像を所定のサイズに縮小するので、映像に字幕が付されていない放送であっても、映像を所定のサイズに縮小してしまう。よって、映像に字幕が付されていない場合、表示画面のサイズを十分に生かすことなく映像を表示することになってしまう。
【０００６】
この点について、図１２を用いて説明する。図１２は、字幕アウトスクリーン表示によって表示された状態を示す説明図である。図１２（ａ）では、表示画面１００１において、映像表示領域１００２に映像が表示され、映像表示領域１００２の下側の領域に字幕１００３が表示されている。また、図１２（ｂ）は、映像表示領域１００２の上側の領域に字幕１００３が表示されている。このように、字幕が表示されている場合は問題ないが、図１２（ｃ）、図１２（ｄ）に示すように、字幕が表示されない場合、映像表示領域１００２が表示画面１００１より小さいサイズのままとなり、表示画面１００１の表示サイズを生かすことなく映像が表示されることになる。
【０００７】
また、視聴者は、字幕が付されていない映像であっても、表示画面よりも小さなサイズで映像を視聴することになり、映像の迫力が落ち、不満がたまってしまう。
【０００８】
本発明は、上記の問題点に鑑みてなされたものであり、その目的は、字幕の有無に応じて字幕アウトスクリーン表示に切り替える表示制御装置等を実現することにある。
【課題を解決するための手段】
【０００９】
上記課題を解決するために、本発明に係る表示制御装置は、デジタルテレビ放送を受信し、受信した該デジタルテレビ放送の表示を制御する表示制御装置であって、上記デジタルテレビ放送の放送データを受信する受信部と、上記受信部が受信した放送データに含まれる番組が、字幕が有る番組である字幕番組か否かを判定する字幕判定手段と、上記字幕判定手段が、上記番組を字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御手段と、を備えていることを特徴としている。
【００１０】
また、本発明に係る表示装置の制御方法は、デジタルテレビ放送の放送データを受信部で受信し、受信した該デジタルテレビ放送の表示を制御する表示制御装置の制御方法であって、上記受信部が受信した放送データに含まれる番組が、字幕が有る番組である字幕番組か否かを判定する字幕判定ステップと、上記字幕判定ステップで、上記番組が字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御ステップと、を含むことを特徴としている。
【００１１】
上記の構成または方法によれば、受信部が受信した放送データに含まれる番組が字幕番組か否かが判定され、字幕番組と判定されたとき、表示部の表示を、フルスクリーン表示から字幕アウトスクリーン表示に切り替える。
【００１２】
これにより、予め字幕アウトスクリーン表示に設定しておかなくても、字幕番組を字幕アウトスクリーン表示で表示させることができる。
【００１３】
また、字幕番組の場合は、字幕アウトスクリーン表示に切り替わるので、ユーザは予め字幕番組に備えて、字幕アウトスクリーン表示に設定しておく必要がなくなる。よって、予め字幕アウトスクリーン表示に設定することにより、字幕番組でない通常番組も字幕アウトスクリーン表示で表示されてしまい、通常番組の映像の迫力が削がれてしまう等の弊害を防止することができる。
【００１４】
例えば、洋画をいつも字幕付きで視聴するユーザが、洋画を視聴するときに、いつも字幕付きで視聴するために、予め字幕アウトスクリーン表示に設定しておいたところ、今回放送される洋画には字幕がなく吹き替え放送だった場合、従来の構成であれば、そのまま字幕アウトスクリーン表示で表示されるので、映像が縮小されて表示されてしまう。しかしながら、上記構成によれば、字幕番組のときに字幕アウトスクリーン表示に切り替わるので、予め字幕アウトスクリーン表示に設定する必要がない。よって、字幕のない吹き替え放送の場合は、フルスクリーン表示で表示されるので映像が縮小されて迫力が削がれるということが起こらない。
【００１５】
本発明に係る表示制御装置では、上記受信部が受信した放送データに含まれる字幕データを検出する字幕データ検出手段を備え、上記字幕判定手段は、上記字幕データ検出手段が字幕データを検出したとき、上記放送データに含まれる番組を字幕番組と判定するものであってもよい。
【００１６】
上記の構成によれば、放送データに含まれる字幕データを検出したとき、字幕番組と判定する。そして、放送データに字幕データが含まれていれば、該放送データに含まれる番組は字幕番組である。よって、字幕番組か否かの判定を正確に行うことができる。
【００１７】
本発明に係る表示制御装置では、上記受信部が受信した放送データに含まれる番組に関する情報である番組情報を取得する番組情報取得手段を備え、上記字幕判定手段は、上記番組情報取得手段が取得した番組情報に、上記番組に字幕が有ることを示す字幕情報が含まれていたとき、上記番組を字幕番組と判定するものであってもよい。
【００１８】
上記の構成によれば、番組情報から、当該番組に字幕が有るか否かを判断するので、番組単位で字幕アウトスクリーン表示の切り替えができる。
【００１９】
本発明に係る表示制御装置では、上記番組情報取得手段は、上記番組情報を上記受信部が受信した放送データから取得するものであってもよい。
【００２０】
上記の構成によれば、番組情報を、受信部が受信した放送データから取得するので、番組情報を取得するために新たな部材を設ける必要がない。よって、既存の部材で番組情報を取得することができ、コストをかけずに番組情報を取得することができる。
【００２１】
上記放送データから番組情報を取得する例としては、放送データに含まれるデータ放送による番組情報を取得することが挙げられる。
【００２２】
本発明に係る表示制御装置では、番組情報を提供している外部装置と通信回線と介して接続する接続部を備え、上記番組情報取得手段は、上記番組情報を上記接続部を介して上記外部装置から取得するものであってもよい。
【００２３】
上記の構成によれば、受信部とは異なる接続部を介して番組情報を取得するので、受信部で放送データを取得できなかった場合であっても番組情報を取得することができる。
【００２４】
外部装置から番組情報を取得する例としては、インターネットと接続し、インターネットを介して接続された外部装置から番組情報を取得することが挙げられる。
【００２５】
本発明に係る表示制御装置では、上記番組情報取得手段は、１つの番組について上記番組情報を複数取得し、上記字幕判定手段は、上記番組情報取得手段が取得した複数の番組情報のうち、少なくとも何れか１つの番組情報に上記字幕情報が含まれていると、上記番組を字幕番組と判定するものであってもよい。
【００２６】
上記の構成によれば、１つの番組に対し、番組情報を複数取得し、取得した複数の番組情報のうちの少なくとも１つに字幕情報が含まれていると、当該番組を字幕番組と判定する。よって、字幕番組であるにもかかわらず字幕情報が含まれていないといった番組情報が存在したとしても、他の番組情報から字幕番組であると判定することができ、字幕番組の判定をより正確に行うことができる。
【００２７】
本発明に係る表示制御装置では、上記字幕判定手段が字幕番組であると最後に判定した時点から所定の時間が経過したとき、上記表示制御手段は、上記字幕アウトスクリーン表示から上記フルスクリーン表示に切り替えるものであってもよい。
【００２８】
上記の構成によれば、放送データに字幕データが含まれていると最後に判断した時点から所定の時間が経過したとき、字幕アウトスクリーン表示からフルスクリーン表示に切り替わる。これにより、字幕アウトスクリーン表示のときに、放送データに字幕データが含まれていない状態が所定の時間続いているにもかかわらず、字幕アウトスクリーン表示が続くということを防止することができる。
【００２９】
ここで、所定の時間としては、放送が、字幕がない放送なのか、それとも字幕放送であるが一時的に字幕がない状態なのかを判断できる時間が考えられ、例えば、３分である。
【００３０】
本発明に係る表示制御装置では、番組の上記表示部における表示を字幕アウトスクリーン表示とする字幕アウトスクリーン指示を受け付ける受付部と、上記受付部が受け付けた字幕アウトスクリーン指示の回数と上記番組に関する情報である番組情報とを対応付けて記憶する記憶部と、を備え、上記字幕判定手段は、上記受信部が受信した放送データに含まれる番組の番組情報と対応付けられた上記字幕アウトスクリーン指示の回数が所定の回数を超えると、上記番組を字幕番組と判定するものであってもよい。
【００３１】
上記の構成によれば、字幕アウトスクリーン表示とする指示を受け付けた回数が所定の回数を超えると、番組を字幕番組と判定する。そして、所定の回数を超える程、字幕アウトスクリーン表示の指示を受けた番組は、ユーザが字幕アウトスクリーン表示で視聴したい番組である可能性が高い。よって、ユーザの嗜好に応じて字幕アウトスクリーン表示とすることができる。なお、所定の回数としては、例えば３回を挙げることができる。
【００３２】
本発明に係る表示制御装置では、字幕アウトスクリーン表示で表示する番組の番組情報が、上記表示部の表示を字幕アウトスクリーン表示とする字幕アウトスクリーン設定情報と、予め対応付けられて記憶されており、上記字幕判定手段は、上記受信部が受信した放送データに含まれる番組の番組情報と、上記字幕アウトスクリーン設定情報とが対応付けられているとき、上記番組を字幕番組と判定するものであってもよい。
【００３３】
上記の構成によれば、取得した番組の番組情報と、予め記憶されている番組情報とから字幕番組か否かを判定することができるので、取得した番組情報に字幕に関する情報がなくても、字幕番組か否かを判定することができる。
【００３４】
なお、上記表示制御装置は、コンピュータによって実現してもよく、この場合には、コンピュータを上記各手段として動作させることにより上記表示制御装置をコンピュータにて実現させる表示制御装置の制御プログラム、およびそれを記録したコンピュータ読み取り可能な記録媒体も、本発明の範疇に入る。
【発明の効果】
【００３５】
以上のように、本発明に係る表示制御装置は、デジタルテレビ放送の放送データを受信する受信部と、上記受信部が受信した放送データに含まれる番組が、字幕が有る番組である字幕番組か否かを判定する字幕判定手段と、上記字幕判定手段が、上記番組を字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御手段と、を備えている構成である。
【００３６】
また、本発明に係る表示装置の制御方法は、受信部が受信した放送データに含まれる番組が、字幕が有る番組である字幕番組か否かを判定する字幕判定ステップと、上記字幕判定ステップで、上記番組が字幕番組であると判定したとき、該番組の映像を表示部の表示画面全体に表示させるフルスクリーン表示から、該映像を縮小し、縮小した映像と字幕とを重ならないように表示させる字幕アウトスクリーン表示に切り替えて、上記表示部に表示させる表示制御ステップと、を含むほうほうである。
【００３７】
これにより、予め字幕アウトスクリーン表示に設定しておかなくても、字幕番組を字幕アウトスクリーン表示で表示させることができるという効果を奏する。
【００３８】
また、字幕番組の場合は、字幕アウトスクリーン表示に切り替わるので、ユーザは予め字幕番組に備えて、字幕アウトスクリーン表示に設定しておく必要がなくなる。よって、予め字幕アウトスクリーン表示に設定することにより、字幕番組でない通常番組も字幕アウトスクリーン表示で表示されてしまい、通常番組の映像の迫力が削がれてしまう等の弊害を防止することができるという効果を奏する。
【図面の簡単な説明】
【００３９】
【図１】本発明の実施の形態を示すものであり、テレビ装置の要部構成を示すブロック図である。
【図２】上記実施の形態において、字幕アウトスクリーン表示を行うときの、映像（動画）の表示領域のスケーリングの対応を示す図である。
【図３】上記実施の形態において、字幕アウトスクリーン表示を行ったときの表示例を示す図である。
【図４】上記テレビ装置において、字幕アウトスクリーン表示の設定を行うときの処理の流れを示すフローチャートである。
【図５】上記テレビ装置において、字幕アウトスクリーン表示の設定を行うときの設定画面例を示す図である。
【図６】上記テレビ装置における、字幕アウトスクリーン表示と全画面表示との切替処理の流れを示すフローチャートである。
【図７】本発明の他の実施の形態を示すものであり、テレビ装置の要部構成を示すブロック図である。
【図８】上記他の実施の形態において、放送データのＥＰＧから番組情報を取得する場合の処理の流れを示すフローチャートである。
【図９】上記の他の実施の形態において、インターネット上から番組情報を取得する場合の処理の流れを示すフローチャートである。
【図１０】本発明の他の実施の形態において、字幕番組か否かを判断する処理の流れを示すフローチャートである。
【図１１】本発明の他の実施の形態において、字幕番組か否かを判断する処理の流れを示すフローチャートである。
【図１２】本発明の課題を示す説明図である。
【発明を実施するための形態】
【００４０】
〔実施の形態１〕
本発明の一実施の形態について図１から図６に基づいて説明すれば、以下のとおりである。本実施の形態に係るテレビ装置（表示制御装置）１００は、デジタル放送（デジタルテレビ放送）を受信し、表示するものである。そして、受信したデジタル放送の放送データに字幕データが含まれていると、表示部１１５における表示を、字幕アウトスクリーン表示とするものである。これにより、予め表示部１１５における表示が字幕アウトスクリーン表示に設定されるので、字幕がないにもかかわらず、字幕アウトスクリーン表示で映像が表示されることにより、表示される映像の迫力が落ちる等の弊害を防止することができる。
【００４１】
ここで、字幕アウトスクリーン表示とは、字幕と映像とが重ならないように映像を縮小表示し、縮小した映像と字幕とが重ならないように、映像が表示されていない領域に字幕を表示することをいう。また、フルスクリーン表示とは、映像を画面全体に表示することをいう。
【００４２】
また、デジタル放送の放送データにおいて、字幕データは、ＰＥＳ（Packetized Elementary Stream）パケットで送信され、映像／音声データと字幕データとは別のＰＥＳパケットで送信される。さらに、放送データには、字幕の管理データ（例えば、縦書きまたは横書きの指定等）が定期的に含まれる。また、字幕データには、改行、位置指定等の制御文字を含ませることができる。
【００４３】
次に、図１を用いて、テレビ装置１００の要部構成について説明する。図１は、テレビ装置１００の要部構成を示すブロック図である。図１に示すように、テレビ装置１００は、デジタル放送チューナ部（受信部）１０３、リモコン受信部１０４、映像／音声／字幕分離部１０５、ＯＳＤ（on-screen display）表示部１１１、音声／映像デコード部１１２、映像信号作成部（表示制御手段）１１３、音声信号作成部１１４、表示部１１５、音声出力部１１６、および字幕制御部１１８を含む構成である。そして、字幕制御部１１８は、字幕デコード部１０６、アウトスクリーン設定保存部（字幕判定手段）１０７、位置設定変更部１０８、字幕表示部１０９、領域オーバー判定部１１０、および字幕データ取得部（字幕データ検出手段）１１９を含む構成である。
【００４４】
デジタル放送チューナ部１０３は、アンテナ１０１で受信した放送データから、リモコン受信部１０４によって指定された、特定の周波数の放送データを選び出し、映像／音声／字幕分離部１０５へ送信する。
【００４５】
リモコン受信部１０４は、リモコン１０２から取得した指示を示す情報をデジタル放送チューナ部１０３、アウトスクリーン設定保存部１０７、およびＯＳＤ表示部１１１に送信するものである。例えば、リモコン１０２から選局されたチャンネルを示す情報を取得すると、デジタル放送チューナ部１０３に該指示を示す情報を送信する。また、リモコン１０２から表示部１１５の表示設定に関する指示を取得すると、該指示を示す情報をアウトスクリーン設定保存部１０７へ送信する。また、リモコン１０２からテレビ装置１００の各種設定を行うためのメニュー画面の表示等の指示を取得すると、該指示を示す情報をＯＳＤ表示部１１１へ送信する。なお、字幕アウトスクリーン表示を行うための画面例については後述する。
【００４６】
映像／音声／字幕分離部１０５は、デジタル放送チューナ部１０３から取得した放送データを、映像データ、音声データ、および字幕データに分離し、映像データおよび音声データを音声／映像デコード部１１２へ送信するととともに、字幕データを字幕データ取得部１１９へ送信する。
【００４７】
ＯＳＤ表示部１１１は、リモコン受信部１０４から、メニュー画面の表示等の指示を示す情報を取得すると、該メニュー画面を作成し、ＯＳＤ表示データとして、映像信号作成部１１３へ送信する。
【００４８】
音声／映像デコード部１１２は、映像／音声／字幕分離部１０５から取得した映像データおよび音声データを復号化し、復号した映像データを映像信号作成部１１３は、復号化した音声データを音声信号作成部１１４へ送信する。
【００４９】
映像信号作成部１１３は、音声／映像デコード部１１２から取得した映像データ、字幕表示部１０９から取得した字幕データ、ＯＳＤ表示部１１１から取得したＯＳＤ表示データを用いて、アウトスクリーン設定保存部１０７から取得した表示設定に基づいて表示部１１５に表示させる表示データを作成する。そして、作成した表示データを表示部１１５へ送信する。例えば、表示設定が、字幕アウトスクリーン表示であれば、映像データを表示部１１５の画面全体の大きさから縮小し、映像データが表示されなくなった領域に字幕データが表示されるように表示データを作成する。
【００５０】
ここで、図２、３を用いて、字幕アウトスクリーン表示画面の作成方法について説明する。図２は、字幕アウトスクリーン表示を行うときの、映像（動画）の表示領域のスケーリングの対応を示す図であり、図３は、字幕アウトスクリーン表示を行ったときの表示例を示す図である。
【００５１】
図２に示すように、字幕アウトスクリーン表示を行う場合に、字幕の表示形式が「９６０×５４０」で、動画プレーンの解像度が「１９２０×１０８０」のとき、９６／１２８に表示領域を変更（スケーリング）し、「（１２０×２,０×２）−（８４０×２,４０５×２）または（１２０×２,１３５×２）−（８４０×２,５４０×２）」に動画を表示する。ここで、それぞれの座標は、表示画面上の左上の点を（０,０）としており、座標および座標に挟まれた「−」で、「−」の左側の座標を左上の点、「−」の右側の座標を右下の点とする矩形を示すものである。
【００５２】
また、字幕の表示形式が、「７２０×４８０（１６：９）」で、動画プレーンの解像度が「７２０×４８０（１６：９）」のときは、９６／１２８にスケーリングし、「（９０，０）−（６３０，３６０）または（９０，１２０）−（６３０，４８０）に動画を表示する。
【００５３】
また、字幕の表示形式が、「７２０×４８０（４：３）」で、動画プレーンの解像度が「７２０×４８０（４：３）」のときは、９６／１２８にスケーリングし、「（９０，０）−（６３０，３６０）または（９０，１２０）−（６３０，４８０）」に動画を表示する。
【００５４】
そして、上述したようにスケーリングを行い、表示位置を決定すると、図３に示すように、動画表示領域３２が縮小されるとともに、表示画面３１の上側、または下側の位置に配置されるようになる。図３（ａ）は、表示画面３１の上側に動画表示領域３２が配置される状態を示し、図３（ｂ）は、表示画面３１の下側に動画表示領域３２が配置される状態を示す。
【００５５】
音声信号作成部１１４は、音声／映像デコード部１１２から取得した音声データから、音声出力部１１６で出力する音声を作成し、音声出力部１１６へ送信する。
【００５６】
表示部１１５は、映像信号作成部１１３から送信された表示データを表示する表示デバイスである。この表示部１１５としては、表示装置であればどのような装置によって実現されてもよいが、具体的な例としては、液晶ディスプレイ、有機ＥＬ（Electro Luminescence）ディスプレイ、プラズマディスプレイが挙げられる。
【００５７】
音声出力部１１６は、音声信号作成部１１４から送信された音声を出力するものである。この音声出力部１１６の例としては、スピーカが挙げられる。
【００５８】
次に、字幕制御部１１８の各ブロックについて説明する。
【００５９】
アウトスクリーン設定保存部１０７は、表示部１１５の表示を字幕アウトスクリーン表示にするか否かを設定する。アウトスクリーン設定保存部１０７は、リモコン受信部１０４から取得したユーザの指示によって、字幕アウトスクリーン表示の設定を行う。そして、字幕アウトスクリーン表示の設定が、字幕データの有無によって変更される設定の場合、字幕データ取得部１１９から、受信した放送データに字幕データが含まれることを示す情報を取得すると、表示部１１５の表示を字幕アウトスクリーン表示とする設定に切り替える。また、字幕データ取得部１１９から、字幕データが含まれることを示す情報を最後に取得したときから所定の時間（例えば、３分）経過すると、表示部１１５の表示を、映像が表示部１１５の画面全体に表示されるフルスクリーン表示とする設定に切り替える。
【００６０】
字幕データ取得部１１９は、映像／音声／字幕分離部１０５から字幕データ（例えば、ＰＥＳ）を取得し、取得した字幕データを字幕デコード部１０６へ送信するとともに、受信した放送データに字幕データが含まれることを示す情報をアウトスクリーン設定保存部１０７へ送信する。
【００６１】
字幕デコード部１０６は、字幕データ取得部１１９から字幕データを取得し、復号化して位置設定変更部１０８へ送信する。
【００６２】
位置設定変更部１０８は、字幕デコード部１０６から取得した復号化された字幕データの表示部１１５における表示位置を、アウトスクリーン設定保存部１０７から取得した表示設定によって決定する。そして、決定した表示位置と復号化された字幕データとを字幕表示部１０９へ送信する。
【００６３】
領域オーバー判定部１１０は、字幕データが示す字幕の量が、字幕が表示される領域である字幕領域に入るか否かを判定し、字幕が字幕領域に入らないと判定した場合、字幕が字幕領域に入らないこと、および字幕領域に入らない字幕を示す字幕領域情報を字幕表示部１０９へ送信する。
【００６４】
字幕表示部１０９は、位置設定変更部１０８から取得した、表示位置と字幕データとから字幕表示データを作成し、映像信号作成部１１３へ送信する。また、字幕表示部１０９は、領域オーバー判定部１１０から、字幕が字幕領域に入らないことおよび入らない字幕を示す字幕領域情報を取得すると、字幕データに含まれる字幕のうち、字幕領域に入る部分と入らない部分との２つの字幕表示データを作成し、字幕領域に入る部分の字幕表示データを映像信号作成部１１３に送信した後、字幕領域に入らなかった部分の字幕表示データを映像信号作成部１１３に送信する。
【００６５】
次に、テレビ装置１００において字幕アウトスクリーン表示の設定を行うときの処理の流れについて図４を用いて説明する。図４は、テレビ装置１００において、字幕アウトスクリーン表示の設定を行うときの処理の流れを示すフローチャートである。
【００６６】
まず、表示部１１５に、図５に示すように、字幕アウトスクリーン表示の設定を行うための表示設定画面が表示される（Ｓ１０１）。図５では、表示設定として、「選択表示」、「常時表示」、「アウトスクリーン１」、「アウトスクリーン２」、「アウトスクリーン３」、および「アウトスクリーン４」が選択できるようになっている。そして、「選択表示」が選択されると、映像は表示部１１５の画面全体に表示され、字幕表示は、ユーザの選択によって表示／非表示が切り替わる。なお、字幕を表示する場合は、映像に重ねて表示する。「常時表示」が選択されると、映像は表示部１１５の画面全体に表示され、字幕は映像に重ねて表示される。
【００６７】
「アウトスクリーン１」が選択されると、映像は常に縮小されて表示部１１５の画面の上側に表示されるとともに、字幕は、映像とは重ならずに、表示部１１５の画面の下側に表示される。また、「アウトスクリーン２」が選択されると、「アウトスクリーン１」とは、映像と字幕との表示位置が表示部１１５の画面上で上下反対となるように、字幕が上側、映像が下側に表示される。
【００６８】
「アウトスクリーン３」が選択されると、字幕放送（放送データに字幕データが含まれている放送）の場合に、映像が縮小され、表示部１１５の画面の上側に表示されるとともに、字幕は、映像と重ならないように表示部１１５の画面の下側に表示される。また、「アウトスクリーン４」が選択されると、「アウトスクリーン３」とは、映像と字幕との表示位置が表示部１１５の画面上で上下反対となるように、字幕が上側、映像が下側に表示される。
【００６９】
そして、表示設定画面が表示されている状態で、リモコン受信部１０４がユーザの選択を受け付ける（Ｓ１０２）。受け付けた選択内容が、「アウトスクリーン１、２」の場合はステップＳ１０３に進み、アウトスクリーン設定保存部１０７は、映像を縮小するとともに字幕を映像と重ならない表示となるように設定する（Ｓ１０３）。そして、テレビ装置１００は、字幕の有無のよらず、常に映像を縮小して字幕アウトスクリーン表示を行う（Ｓ１０６）。
【００７０】
また、リモコン受信部１０４が受け付けた選択内容が、「選択表示、常時表示」の場合は、ステップＳ１０５に進み、アウトスクリーン設定保存部１０７は、常に映像を表示部１１５の画面全体で表示し、字幕を表示する場合は、映像に重ねて表示するように設定する（Ｓ１０５）。そして、テレビ装置１００は、常に映像を表示部１１５の画面全体に表示するとともに、字幕を表示する場合は映像に重ねて表示する（Ｓ１０８）。
【００７１】
また、リモコン受信部１０４が受け付けた選択内容が、「アウトスクリーン３、４」の場合は、ステップＳ１０４に進み、アウトスクリーン設定保存部１０７は、字幕放送のときのみ、映像を縮小するとともに字幕を映像と重ならない表示となるように設定する（Ｓ１０４）。そして、アウトスクリーン設定保存部１０７は、字幕アウトスクリーン表示と全画面表示との切替処理を行う（Ｓ１０７）。字幕アウトスクリーン表示と全画面表示との切替処理については後述する。
【００７２】
以上で、テレビ装置１００において字幕アウトスクリーン表示の設定を行うときの処理が終了する。
【００７３】
次に、図６を用いて、字幕アウトスクリーン表示と全画面表示との切替処理の流れについて説明する。図６は、字幕アウトスクリーン表示と全画面表示との切替処理の流れを示すフローチャートである。
【００７４】
まず、ユーザは、所望の番組をリモコン１０２によって選択し、視聴する（Ｓ２０１）。そして、視聴開始後３分以内に字幕データ取得部１１９が字幕ＥＳを取得すると（Ｓ２０２でＹＥＳ、字幕判定ステップ）、アウトスクリーン設定保存部１０７は、画面表示を、字幕アウトスクリーン表示に設定する（Ｓ２０３、表示制御ステップ）。その後、字幕データ取得部１１９が、最後の字幕ＥＳを取得してから３分経過すると（Ｓ２０４でＹＥＳ）、ステップＳ２０６へ進み、アウトスクリーン設定保存部１０７は、画面表示をフルスクリーン表示に設定する（Ｓ２０６）。一方、字幕データ取得部１１９が最後の字幕ＥＳを取得してから３分を経過する前に（Ｓ２０４でＮＯ）、番組が終了すると（Ｓ２０５でＹＥＳ）、処理は終了する。
【００７５】
一方、ユーザが視聴を開始してから３分以内に、字幕データ取得部１１９が字幕ＥＳを取得しなければ（Ｓ２０２でＮＯ、字幕判定ステップ）、画面表示はフルスクリーン表示のままである（Ｓ２０６）。そして、字幕データ取得部１１９が字幕ＥＳを取得すると（Ｓ２０７でＹＥＳ）、ステップＳ２０３へ進み、アウトスクリーン設定保存部１０７は、画面表示を字幕アウトスクリーン表示に設定する（Ｓ２０３）。また、字幕データ取得部１１９が字幕ＥＳを取得することなく（Ｓ２０７でＮＯ）、番組が終了すると（Ｓ２０８でＹＥＳ）、処理は終了する。
【００７６】
なお、上述の実施の形態では、字幕アウトスクリーン表示に設定後、３分以上、字幕ＥＳを取得しなければ、フルスクリーン表示の設定に切り替える例について説明したが、これに限られるものではない。一旦、字幕アウトスクリーン表示に設定すれば、当該番組が終了するまで該設定が維持される構成であってもよい。
【００７７】
また、番組の視聴開始後、３分以内に字幕ＥＳを取得しなければ、フルスクリーン表示とし、そのまま番組終了までフルスクリーン表示とする構成であってもよい。
【００７８】
〔実施の形態２〕
本発明の他の実施の形態について図７から図９に基づいて説明すれば、以下のとおりである。なお、説明の便宜上、上記の実施の形態１において示した部材と同一の機能を有する部材には、同一の符号を付し、その説明を省略する。
【００７９】
本実施の形態において、上記実施の形態１と異なるのは、字幕番組か否かの判定を、放送データに字幕データが検出できたか否かではなく、ＥＰＧ（Electronic Program Guide）を取得し、ＥＰＧの情報を用いて判定する点である。
【００８０】
図７に、本実施の形態に係るテレビ装置（表示制御装置）２００の要部構成を示す。図７に示すように、本実施の形態では、テレビ装置１００に対し、字幕データ取得部１１９がなく、番組情報取得部（番組情報取得手段）１２２、およびインターネット接続部（接続部）１２３を加えた構成である。
【００８１】
インターネット接続部１２３は、インターネットと接続し、情報の送受信を行うものである。本実施の形態では、特に、インターネット上に存在する、ＥＰＧを提供している外部装置から、ＥＰＧを取得して、番組情報取得部１２２へ送信する。
【００８２】
番組情報取得部１２２は、ＥＰＧから所望の番組情報を取得するものである。ＥＰＧは、インターネット接続部１２３を介してインターネット上から取得してもよいし、デジタル放送チューナ部１０３が取得した放送データから取得してもよい。また、その両方から取得してもよい。
【００８３】
そして、アウトスクリーン設定保存部１０７は、デジタル放送チューナ部１０３で受信した放送データに含まれる番組の、番組情報取得部１２２が取得した番組情報に字幕が有ることを示す字幕情報が含まれているか否かを判定する。そして、字幕情報が含まれていると判定すると、上記実施の形態１において、字幕データ取得部１１９から字幕データを検出したことを示す情報を取得したときと同じように処理を行う。
【００８４】
次に、図８を用いて、放送データのＥＰＧから所望の番組情報を取得する場合の処理の流れを説明する。図８は、放送データのＥＰＧから番組情報を取得する場合の処理の流れを示すフローチャートである。
【００８５】
まず、ユーザが所望の番組を選局すると（Ｓ４０１）、番組情報取得部１２２は、該番組の番組情報をデジタル放送チューナ部１０３が受信した放送データのＥＰＧから取得する（Ｓ４０２）。そして、アウトスクリーン設定保存部１０７は、番組情報取得部１２２か取得した番組情報に、該番組に字幕が有ることを示す字幕情報が含まれているか否かを判定する（Ｓ４０３）。そして、字幕情報が含まれていると判定すると（Ｓ４０３でＹＥＳ）、アウトスクリーン設定保存部１０７は、画面表示を字幕アウトスクリーン表示に設定する。一方、字幕情報が含まれていなければ（Ｓ４０３でＮＯ）、アウトスクリーン設定保存部１０７は、画面表示をフルスクリーン表示に設定しておく（Ｓ４０５）。以上で処理は終了する。
【００８６】
次に、図９を用いて、インターネット上から番組情報を取得する場合の処理の流れを説明する。図９は、インターネット上から番組情報を取得する場合の処理の流れを示すフローチャートである。
【００８７】
まず、テレビ装置１００とインターネットとを接続し（Ｓ５０１）、ユーザの指示によって、インターネット上のどのサイトからＥＰＧを取得するかを指定する（Ｓ５０２）。
【００８８】
そして、ユーザが所望の番組を選局すると（Ｓ５０３）、番組情報取得部１２２は、該番組の番組情報をインターネット接続部１２３を介して上記サイトが提供しているＥＰＧから取得する（Ｓ５０４）。
【００８９】
そして、アウトスクリーン設定保存部１０７は、番組情報取得部１２２か取得した番組情報に、該番組に字幕が有ることを示す字幕情報が含まれているか否かを判定する（Ｓ５０５）。そして、字幕情報が含まれていると判定すると（Ｓ５０５でＹＥＳ）、アウトスクリーン設定保存部１０７は、画面表示を字幕アウトスクリーン表示に設定する。一方、字幕情報が含まれていなければ（Ｓ５０５でＮＯ）、アウトスクリーン設定保存部１０７は、画面表示をフルスクリーン表示に設定しておく（Ｓ５０７）。以上で処理は終了する。
【００９０】
なお、上記実施の形態では、ユーザが番組を選局した後に、番組情報を取得する流れで説明したが、本発明はこれに限られるものではない。予め番組情報を取得し、該番組情報に字幕情報が含まれているか否かの判断結果、番組名、放送時間、放送チャンネル等を互いに対応付けて記憶しておき、ユーザが番組を選局したときに、記憶されている判断結果を用いて、字幕アウトスクリーン表示に設定するか否かを決定してもよい。これにより、字幕アウトスクリーン表示の設定を、より早く行うことができる。
【００９１】
また、上記実施の形態では、番組情報を放送データおよびインターネットの何れかから取得する構成としたが、両者から取得するものであってもよい。この場合、取得した複数の番組情報のうち、何れかの番組情報に字幕情報が含まれていれば、字幕アウトスクリーン表示の設定を行うとすればよい。
【００９２】
また、上記実施の形態１の構成と上記実施の形態２の構成とを組み合わせた構成であってもよい。これにより、番組情報に字幕情報が含まれていなかったため、フルスクリーン表示に設定した後に、字幕データが含まれる放送データを受信したときに、字幕アウトスクリーン表示に設定を切り替えることができる。
【００９３】
また、番組情報によって字幕アウトスクリーン表示に設定した後、放送データに字幕データが含まれない時間が所定時間を超えると、フルスクリーン表示に設定を切り替えることもできる。
【００９４】
また、次のように字幕番組か否かを判断してもよい。図１０、図１１を用いて説明する。図１０、図１１は、上述した方法とは異なる方法で字幕番組か否かを判断するときの流れを示すフローチャートである。
【００９５】
図１０に示した方法は、ユーザ操作により字幕表示設定がされた回数と番組情報とを対応付けて、当該番組が字幕番組か否かを判断するものである。
【００９６】
まず、ユーザが所望の番組を視聴し（Ｓ６０１）、リモコン１０２により字幕画面設定の操作（字幕アウトスクリーン指示）を行う（Ｓ６０２）。また、字幕制御部１１８ユーザが視聴中の番組の番組情報を取得する（Ｓ６０３）。そして、字幕制御部１１８は、ユーザが設定した字幕画面設定の情報（字幕アウトスクリーン設定情報）を取得し（Ｓ６０４）、当該設定の回数ｎ１を前回までの回数ｎ０から１増加する（Ｓ６０５）。そして、字幕画面設定の回数と番組情報とを対応付けて記憶部（図示せず）に記憶しておく。
【００９７】
そして、ｎ１が所定の回数（本実施の形態では３）を超えると（Ｓ６０６でＹＥＳ）、当該字幕画面設定が、字幕アウトスクリーン表示か、フルスクリーン表示かを判断する（Ｓ６０７）。そして、字幕アウトスクリーン表示であれば、ステップＳ６０８へ進み、当該番組を字幕番組と判定し、字幕アウトスクリーン表示で表示するように番組情報と字幕画面設定情報とを対応付けて記憶させる（Ｓ６０８）。また、フルスクリーン表示であれば、ステップＳ６０９へ進み、当該番組を字幕番組でないと判定し、フルスクリーン表示で表示するように番組情報と字幕画面設定情報とを対応付けて記憶させる（Ｓ６０９）。
【００９８】
以上で、処理が終了する。なお、上述した実施の形態では、所定の回数を３としたが、これに限られるものではない。
【００９９】
また、図１１で示した方法は、番組情報と対応付けて字幕画面設定情報が予め記憶されており、記憶されている上記情報を用いて字幕番組か否かを判断するものである。
【０１００】
まず、字幕制御部１１８は、番組の番組情報を取得する（Ｓ７０１）。そして、取得した番組情報と予め記憶部に記憶されている番組情報とを照らし合わせる（Ｓ７０２）。そして、番組情報が一致すれば（Ｓ７０３でＹＥＳ）、該番組情報と対応付けられている字幕画面設定情報が、字幕アウトスクリーン表示かフルスクリーン表示か判断し、字幕アウトスクリーン表示であれば、ステップＳ７０５へ進み、当該番組を字幕番組と判定し、字幕アウトスクリーン表示で表示するように番組情報と字幕画面設定情報とを対応付けて記憶させる（Ｓ７０５）。また、フルスクリーン表示であれば、ステップ７０６へ進み、当該番組を字幕番組でないと判定し、フルスクリーン表示で表示するように、番組情報と字幕画面設定情報とを対応付けて記憶させる（Ｓ７０６）。この処理を取得した全ての番組情報に対し行い、処理が終了する。
【０１０１】
なお、予め記憶されている字幕画面設定情報は、例えば、前の週の同番組を視聴したときに設定された字幕画面設定情報を用いてもよい。
【０１０２】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０３】
最後に、テレビ装置１００およびテレビ装置２００の各ブロック、特に映像／音声／字幕分離部１０５、ＯＳＤ表示部１１１、音声／映像デコード部１１２、映像信号作成部１１３、音声信号作成部１１４、字幕制御部１１８の各部（字幕デコード部１０６、アウトスクリーン設定保存部１０７、位置設定変更部１０８、字幕表示部１０９、字幕データ取得部１１９）、および番組情報取得部１２２は、ハードウェアロジックによって構成してもよいし、次のようにＣＰＵ（central processing unit）を用いてソフトウェアによって実現してもよい。
【０１０４】
すなわち、テレビ装置１００およびテレビ装置２００は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるテレビ装置１００およびテレビ装置２００の制御プログラムのプログラムコード（実行形式プログラム、中間コードプログラム、ソースプログラム）をコンピュータで読み取り可能に記録した記録媒体を、上記テレビ装置１００およびテレビ装置２００に供給し、そのコンピュータ（またはＣＰＵやＭＰＵ（microprocessor unit））が記録媒体に記録されているプログラムコードを読み出し実行することによっても、達成可能である。
【０１０５】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１０６】
また、テレビ装置１００およびテレビ装置２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０７】
受信した放送データに含まれる番組が字幕番組のとき、画面表示を字幕アウトスクリーン表示とすることができるので、字幕番組および字幕番組でない通常番組の両方を受信し、表示する装置、例えば地上波デジタル対応テレビに好適である。
【符号の説明】
【０１０８】
３１    表示画面
１００    テレビ装置（表示制御装置）
１０３    デジタル放送チューナ部（受信部）
１０４    リモコン受信部（受付部）
１０７    アウトスクリーン設定保存部（字幕判定手段）
１１３    映像信号作成部（表示制御手段）
１１５    表示部
１１９    字幕データ取得部（字幕データ検出手段）
１２２    番組情報取得部（番組情報取得手段）
１２３    インターネット接続部（接続部）
２００    テレビ装置（表示制御装置）
【図１】
0005442373.tif 000002
【図２】
0005442373.tif 000003
【図３】
0005442373.tif 000004
【図４】
0005442373.tif 000005
【図５】
0005442373.tif 000006
【図６】
0005442373.tif 000007
【図７】
0005442373.tif 000008
【図８】
0005442373.tif 000009
【図９】
0005442373.tif 000010
【図１０】
0005442373.tif 000011
【図１１】
0005442373.tif 000012
【図１２】
0005442373.tif 000013